(57)【特許請求の範囲】
【請求項１】
実質的に直立な部材であって、当該直立な部材は、切頭三角形状の断面を有するルーティングされた空間を有し、当該実質的に直立な部材とは別個に形成された受容手段が完全に前記空間内に収容され、前記受容手段は内部に延在するチャネルを含み、前記チャネルは、前記実質的に直立な部材に対して前記部材内で下方に角度付けされており、前記チャネルは上壁及び下壁を有し、前記上壁は、その中に配置された凹部を有する、実質的に直立な部材。
【請求項２】
前記凹部は、前記チャネルの閉鎖端に配置されるか又は該閉鎖端に向けて配置される、請求項１に記載の実質的に直立な部材。
【請求項３】
前記チャネルの上壁及び下壁は、それぞれ変形に対して弾力性のある材料から製作される、請求項１又は２に記載の実質的に直立な部材。
【請求項４】
前記チャネルの上壁及び下壁は、それぞれ金属又はプラスチックから製作される、請求項１〜３のいずれか一項に記載の実質的に直立な部材。
【請求項５】
前記チャネルの開放端での前記下壁の端部は、枢動点を形成するように構成される、請求項１〜４のいずれか一項に記載の実質的に直立な部材。
【請求項６】
パネル若しくは板又は壁である、請求項１〜５のいずれか一項に記載の実質的に直立な部材。
【請求項７】
前記チャネルは、実質的に水平に延びている、請求項１〜６のいずれか一項に記載の実質的に直立な部材。
【請求項８】
請求項１〜７のいずれか一項に記載の実質的に直立な部材と、
第１の領域及び第２の領域を含むインサートであって、該第１の領域及び該第２の領域は屈曲部よって分けられ、該第１の領域は上面を有し、該上面から係合部材が延在する、インサートと、
を含む繋止システムであって、前記実質的に直立な部材の前記チャネル及び前記インサートは、前記係合部材を含む前記インサートの領域が前記チャネルに挿入可能であり、かつ前記チャネルに挿入されたときに、前記インサートが、前記係合部材が前記チャネルの前記凹部内に移動可能であり、それによって前記チャネル及び前記インサートを一緒に係止するように、前記チャネルの枢動点で枢動可能であり、前記インサートが前記実質的に直立な部材から延在して物品を懸吊することができるように構成される、繋止システム。
【請求項９】
前記チャネルの前記枢動点は、前記チャネルの開放端での前記チャネルの前記下壁の端部である、請求項８に記載の繋止システム。
【請求項１０】
前記インサートは、前記実質的に直立な部材に対して遠位にある前記インサートの末端に又は該末端の周辺に加えられる下向きの力に応じて枢動する、請求項８又は９に記載の繋止システム。
【請求項１１】
実質的に直立な部材にインサートを挿入するための方法であって、
請求項１〜７のうちのいずれか一項に記載の実質的に直立な部材を提供するステップと、
第１の領域及び第２の領域を含むインサートを提供するステップであって、該第１の領域及び該第２の領域は屈曲部よって分けられ、該第１の領域は上面を有し、該上面から係合部材が延在する、ステップと、
前記インサートが前記実質的に直立な部材から延在して物品を懸吊することができるように、前記インサートを前記実質的に直立な部材の前記チャネルに挿入するステップと、を含む、方法。
【発明の詳細な説明】
【技術分野】
【０００１】
本発明は、ブラケットが見えない、小売及び家庭用の容易に装着される調節可能な棚システムに関する。
【背景技術】
【０００２】
小売店に装備するために一般的に使用される棚システムは、重いブラケットを有する非常に工業的な見た目の、背板のサイズ及び棚の長さによって選択肢が限定される、スラットウォール型システムである。
【０００３】
一態様において、工業的な見た目ではなく、小売店、事業所、または家庭のディスプレイを引き立たせる、より優美で調節可能なシステムの必要性が当該技術分野に存在する。
【０００４】
改善された棚システム、または単純に従来技術の棚システムの代替品を提供することによって、従来技術の問題を克服または軽減することが、本発明の一態様である。
【０００５】
文書、行動、材料、デバイス、物品等の考察は、本発明の背景を提供する目的のみで本明細書に含まれる。これらの事項の一部または全部が、従来技術の基盤の一部を形成するものであったこと、または本出願の各請求項の優先日前に存在したような本発明に関連する分野の一般的な知識であったということを示唆または提示するものではない。
【発明の概要】
【０００６】
必ずしも最も広義の態様ではないが、第１の態様において、本発明は、内部に延在するチャネルを備える実質的に直立の部材であって、チャネルは、部材内で下方に角度付けされており、チャネルは、上壁及び下壁を有し、上壁は、その中に配置された凹部を有する、部材を提供する。
【０００７】
直立部材の一実施形態において、凹部は、チャネルの閉鎖端に、またはそれに向けて配置される。
【０００８】
直立部材の一実施形態において、変形に対して弾力性のある材料から製作される。
【０００９】
直立部材の一実施形態において、チャネル壁は、金属またはプラスチックから製作される。
【００１０】
直立部材の一実施形態において、チャネルは、直立部材とは別個に形成され、直立部材に嵌合されるか、または組み込まれる。
【００１１】
直立部材の一実施形態において、チャネルの開放端での下壁の端部は、枢動点を形成するように構成される。
【００１２】
一実施形態において、直立部材は、パネル、または板もしくは壁である。
【００１３】
直立部材の一実施形態において、チャネルは、実質的に水平に延びている。
【００１４】
第２の態様において、本発明は、直立部材内のチャネルに挿入されるように構成されるインサートであって、インサートは、第１の領域及び第２の領域を備え、第１及び第２の領域は、インサート内の屈曲部によって分けられ、第１の領域は、上面を有し、係合部材がそこから延在する、インサートを提供する。
【００１５】
一実施形態において、インサートは、インサートの上面から延在する止め部材を備える。
【００１６】
インサートの一実施形態において、止め部材は、屈曲部の周辺の区域から延在する。
【００１７】
インサートの一実施形態において、止め部材は、第２の領域から、かつ屈曲部に隣接して延在する。
【００１８】
インサートの一実施形態において、第２の領域は、取り付け可能な物品内にインサートを取り付ける助けとなるように構成される１つ以上の形成体を備える。
【００１９】
インサートの一実施形態において、取り付け可能な物品は、棚である。
【００２０】
第３の態様において、本発明は、本明細書に記載されるような直立部材、及び本明細書に記載されるようなインサートを備える繋止システムであって、直立部材のチャネル及びインサートは、係合部材を備えるインサートの領域がチャネルに挿入可能であり、かつチャネルに挿入されたときに、インサートが、係合部材がチャネルの凹部内に移動可能であり、それによってチャネル及びインサートを一緒に係止するように、チャネルの枢動点で枢動可能であるように構成される、繋止システムを提供する。
【００２１】
繋止システムの一実施形態において、チャネルの枢動点は、チャネルの開放端でのチャネルの下壁の端部である。
【００２２】
繋止システムの一実施形態において、インサートは、直立部材に対して遠位にあるインサートの末端で、またはその周辺に加えられる下向きの力に応じて枢動する。
【００２３】
第４の態様において、本発明は、インサートを受容することができる直立部材を提供するための方法であって、直立部材を提供するステップと、内部に延在するチャネルを備えるように部材を修正するステップと、を含み、チャネルは、部材内で下方に角度付けされており、チャネルは、上壁及び下壁を有し、上壁は、その中に配置された凹部を有する、方法を提供する。
【００２４】
本方法の一実施形態において、修正するステップは、内部に延在するチャネルを備える受容手段を適合させることを含み、チャネルは、部材内で下方に角度付けされており、チャネルは、上壁及び下壁を有し、上壁は、その中に配置された凹部を有する。
【００２５】
第５の態様において、本発明は、本明細書に記載されるような直立部材を修正する方法において動作可能な受容手段であって、受容手段は、上壁及び下壁を有するチャネルを備え、上壁は、その中に配置された凹部を有する、受容手段を提供する。
【００２６】
第５の態様において、本発明は、直立部材にインサートを挿入するための方法であって、本明細書に記載されるような直立部材を提供するステップと、請求項９〜１２のいずれか一項に記載のインサートを直立部材のチャネルに挿入するステップと、を含む、方法を提供する。
【図面の簡単な説明】
【００２７】
【図１Ａ】本発明の好ましい受容手段の断面図である。受容手段は、本発明のインサートのための繋止点を提供するように、壁等の直立部材に挿入されてもよい。
【図１Ｂ】図１Ａの受容手段の斜視図である。
【図２】図１Ａに示されるようないくつかの受容手段の斜視図である。受容手段は、壁に存在する略三角形のボア孔に縦方向に挿入されている。
【図３】本発明の好ましいインサートの断面図である。インサートは、図１Ａ、１Ｂ、及び２に示される受容手段に挿入されるように構成される。
【図４Ａ】棚に取り付けられた本発明のインサートの斜視図である。インサートは、図４Ｂにおいてより明確に示されている。
【図４Ｂ】棚等の物品にインサートを係合する際に補助となる形成体を有する、本発明の好ましいインサートの断面図である。
【図５Ａ】図１の受容手段に挿入された図４Ｂのインサートを示す断面図である。
【図５Ｂ】パネルから延在する棚システムとの関連において、図４Ｂのインサートと組み合わせて図１の受容手段を示す断面図である。発明及び好ましい実施形態の詳細な説明
【００２８】
この説明を考慮すれば、種々の代替の実施形態及び代替の用途において、本発明がどのように実装されるかが当業者に明白となるであろう。しかしながら、本発明の種々の実施形態が本明細書に記載されるが、これらの実施形態は、例として提示されるのであって、制限されないことを理解されたい。そのため、種々の代替の実施形態に関するこの説明は、本発明の範囲または幅を制限すると見なされるべきではない。さらに、利点または他の態様の記述は、特定の例示的実施形態に適用されるのであって、必ずしも特許請求の範囲によって包含される全ての実施形態に適用されるものではない。
【００２９】
本明細書の説明及び特許請求の範囲を通して、「含む（ｃｏｍｐｒｉｓｅ）」という用語、ならびに「含んでいる（ｃｏｍｐｒｉｓｉｎｇ）」及び「含む（ｃｏｍｐｒｉｓｅｓ）」等の該用語の変形例は、他の付加物、構成要素、整数、またはステップ等を除外することを意図するものではない。
【００３０】
本明細書を通して「一実施形態（ｏｎｅ  ｅｍｂｏｄｉｍｅｎｔ）」または「一実施形態（ａｎ  ｅｍｂｏｄｉｍｅｎｔ）」への言及は、その実施形態に関連して記載される特定の特性、構造、または特徴が、本発明の少なくとも１つの実施形態に含まれることを意味する。したがって、本明細書を通した種々の箇所における「一実施形態において（ｉｎ  ｏｎｅ  ｅｍｂｏｄｉｍｅｎｔ）」または「一実施形態において（ｉｎ  ａｎ  ｅｍｂｏｄｉｍｅｎｔ）」という句の出現は、必ずしも全てが同じ実施形態に言及しているわけではないが、そうである場合もある。
【００３１】
図１Ａを参照すると、インサートの繋止点を提供するように直立部材（パネルまたは壁等）に挿入されてもよい、本発明の受容手段１０が示される。受容手段は、上壁１４及び下壁１６を有するチャネル１２を有する。チャネル１２の閉鎖端は、凹部１８である。
【００３２】
受容手段２０は、チャネル１２の下面１６の端部に枢動点１９を提供する。枢動点１９の機能は、チャネル１２に挿入されたインサートのわずかな揺動を可能にすることである（その多くについては後述する）。
【００３３】
受容手段２０は、チャネル１２の上面１４の端部に当接点２１を提供する。当接点２１の機能は、チャネル１２に挿入されたインサートと係合して、チャネル１２内でインサートが余分な距離押し込まれるのを防ぐことである（その多くについては後述する）。
【００３４】
直立部材が立っている水平な床に対してチャネル１２が下向きに延びるように、受容手段は、それが典型的に使用される配向で示されている。
【００３５】
図１Ｂの斜視図は、受容手段の細長い構成を示す。このように、チャネル１２は水平に延びているが、嵌合されると、下向きにかつ直立部材の中に延在する。認識されるように、直立部材の全幅に延在するために受容手段は必要ではない。例えば、２つの繋止点を提供するために、２つの比較的短い受容手段のみが直立部材の反対側の端部に挿入されてもよい。
【００３６】
図１の好ましい実施形態は、アルミニウムから形成され、材料の使用量を削減するために切り欠き部分２０を含む。
【００３７】
例示的な寸法及び角度（好ましい角度の範囲を含む）は、以下の通りである。
２２      ２１．５ｍｍ±１０ｍｍ
２４      １２．７ｍｍ±５ｍｍ
２６      １２．５ｍｍ±５ｍｍ
２８      ３．８ｍｍ±０．５ｍｍ
３０      ２５±１０度
３２      ４０±２０度
３４      ２５±１０度
３６      ４０±２０度
３８      ２４±２４度
【００３８】
これらの例示的な寸法及び角度に関して、任意の寸法及び角度に関して引用される範囲は、上限または下限の寸法または角度に対する厳密な遵守が要求されることを意味すると解釈されるべきではない。さらに、これらの例示的な寸法及び角度（引用される範囲を含む）は、厚さ約１８ｍｍの板への受容手段の適用において有用である。異なる厚さの板が使用されてもよく、上で挙げた寸法及び／または角度が日常的手段によって変更されてもよいことを理解されたい。
【００３９】
図２は、いくつかの受容手段１０がその中に挿入された直立部材４０（この実施形態では深さ１８ｍｍの背板である）を示す。受容手段１０を受け入れるための空間を作製するために特殊なルーティング工具が使用される。空間は、実質的に三角形の断面であるが、頂点が平坦である。ルーティングされた空間の平坦な頂上部は、チャネル１２を外側に出すための開口部を提供する。
【００４０】
任意の既存の直立部材に挿入される個別の受容手段を対象とする本発明の実施形態のみが好ましいことを理解されたい。他の受容手段は、直立部材の外面に取り付けられてもよいか、または実際に直立部材と一体化して形成されてもよい。
【００４１】
図３を参照すると、直立部材の垂直面に存在するチャネル１２に挿入されるように構成されるインサート４２が示される。インサートは、アルミニウムから製作され、第１の領域４４及び第２の領域４６を備え、２つの領域は屈曲部４８によって区切られる。第１の領域４４は、上面上に係合部材４８を備える。
【００４２】
インサート４２は、図面中、使用されることが意図される配向で示されている。この配向では、第１の領域４４は、受容手段によって提示されるチャネル内に下向きに延在し、第２の領域４６は、直立部材の垂直面から実質的に水平に延在する。第２の領域４６の水平方向の延在は、棚、箱、バスケットまたはロッド等の物品を直立部材から懸吊することを可能にする。物品は、物品と第２の領域４６との間に最大接触表面積を提供するために、第２の領域４６を実質的に包み込むように構成されてもよい。物品と第２の領域４６との界面に接着剤が使用されてもよい。
【００４３】
好ましいインサートは、屈曲部４８でインサート４２の上面から延在する止め部材５０をさらに備える。止め部材５０の目的は、インサート４２が直立部材の面に存在するチャネル１２の中に余分な距離付勢されるのを防ぐことである。これは、インサートを挿入したときの止め部材５０と当接点２１との衝突によって達成される。止め部材５０の位置決めによって、屈曲部４８の鋭角がチャネル１２の枢動点１９上に位置し、それによってインサート４２のわずかな揺動を可能にするように、インサート４２が適切に位置付けられる。
【００４４】
わずかな揺動によって、インサートの係合部材４８がチャネル１２の凹部１８内に移動することが可能となり、それによって２つの構成要素を一緒に係止する。したがって、（例えば、インサート４２に取り付けられた棚に物品を配置することによって）インサート４２の第２の領域４８にかかる下向きの荷重を適用すると、第２の領域が下方に変位する。これは、屈曲部４８でインサート４２の枢動を引き起こし、それによって第１の領域の末端を上方に変位させ、それによって係合部材４８を凹部１８の中に移動させる。
【００４５】
第２の領域４６にかかる荷重が大きいほど、凹部１８に対する係合部材４８により大きな上向きの力が加わり、チャネル１２から引き出されるインサート４２に対する抵抗をさらに増加させることを理解されたい。
【００４６】
係合手段４８は、インサート４２の末端になくてもよく、インサート４２の第１の領域４４の上面上の任意の点に位置してもよいことを理解されたい。しかしながら、係合部材を末端に配置すると、より大きな上向きの力が係合部材に加わり、それが、より確実なインサートの保持を提供する。
【００４７】
同様に、第２の領域４６は任意の長さであってもよいが、その領域がより長い場合、より大きなてこの力がかかり、その結果、より大きな上向きの力が係合手段４８に加えられる。
【００４８】
インサート４２の例示的な寸法及び角度を以下に示す。
４４      １０．２±５ｍｍ
４６      ３０±５ｍｍ
５２      ０．３６±０．０５ｍｍ
５４      ３．２５±０．２５ｍｍ
５６      ４１．５４±０．４ｍｍ
５８      ３．５±０．５ｍｍ
６０      １６２度±１８度
【００４９】
これらの例示的な寸法及び角度に関して、任意の寸法及び角度に関して引用される範囲は、上限または下限の寸法または角度に対する厳密な遵守が要求されることを意味すると解釈されるべきではない。これらの例示的な寸法及び角度（引用される範囲を含む）は、上で挙げた寸法及び角度を有する厚さ約１８ｍｍの板を用いた使用のために構成される受容手段に合致するインサートに有用である。異なる厚さの板が使用されてもよく、インサートに関して上で挙げた寸法及び／または角度が変更されてもよいことを理解されたい。
【００５０】
図４Ａ及び４Ｂは、第２の領域内に形成体６４を有する、インサート４２の修正された形成体を示す。形成体の機能は、インサート４２と棚６２等の取り付けられた物品との係合を強めることである。
【００５１】
図５Ａ及び５Ｂは、一連の棚を背板に固定するために使用される好ましい繋止システムを示す。図５Ｂの３つの棚は、棚が取り付けられる方法を順次示している。最初に、棚（側面から延在するインサートの第１の領域を有する）を背板に向き合わせ、第１の領域をチャネルに挿入するということに留意されたい。次いで、インサート上の止め部材が保持手段の当接点と衝突するまで、棚を背板に向かって付勢する。棚の重量がインサートの第２の領域に下向きの力を及ぼした時点で、インサートの第１の領域の係合部材をチャネル上壁の凹部に強制的に押し込む。
【００５２】
受容手段または挿入手段の実際の材料、寸法、及び角度は、本発明の実際の用途に従って変更可能であり得ることを理解されたい。例えば、本発明が大きな重量を支えるように設計された棚システムに関連する場合、より高い強度の材料が使用されてもよいか、または受容手段の全体的な寸法が必要に応じて増加されてもよい。そのような変更は、日常的手段のみを用いる当業者の能力の範囲内である。
【００５３】
本発明の例示的実施形態の説明において、本発明の種々の特徴は、本開示を合理化し、種々の発明の態様のうちの１つ以上の理解を助ける目的で、それらの単一の実施形態、図、または説明にまとめて分類される場合があることを理解されたい。しかしながら、この開示方法は、請求される発明が、各請求項に明示的に記載されるよりも多くの特徴を必要とするという意図を反映していると解釈されるべきではない。むしろ、添付の特許請求の範囲が反映するように、発明の態様は、上記に開示された単一の実施形態の全ての特徴よりも少なく存在する。
【００５４】
さらに、本明細書に記載されるいくつかの実施形態は、他の実施形態に含まれる特定の特徴を含むが、他の特徴は含まない一方で、当業者には理解されるように、異なる実施形態の特徴の組み合わせは、本発明の範囲内であり、かつ異なる実施形態を形成することが意図される。例えば、添付の特許請求の範囲において、請求される実施形態のうちのいずれも任意の組み合わせで使用することができる。
【００５５】
本明細書に提供される説明において、多数の特定の詳細が記載される。しかしながら、本発明の実施形態は、これらの特定の詳細を用いずに実施され得るということを理解されたい。他の場合において、周知の方法、構造、及び技術は、本明細書の理解を妨げないために、詳細に示されていない。
【００５６】
したがって、本発明の好ましい実施形態であると考えられるものを記載してきたが、当業者は、本発明の主旨から逸脱することなく、他の及びさらなる修正がそれらに行われてもよく、全てのそのような変更及び修正を本発明の範囲内に属するものとして請求することが意図されることを認識するであろう。機能性は、ブロック図に追加されてもよいか、またはそこから削除されてもよく、動作は、機能ブロック間で交換されてもよい。ステップは、本発明の範囲内に記載された方法に追加または削除されてもよい。
【００５７】
特定の実施例に関連して本発明を説明してきたが、本発明は多くの他の形態で具現化され得ることが当業者に理解されよう。
【００５８】
好ましい実施形態のさらなる開示を以下に提供する。
【００５９】
出願人は、顧客の要求を満足させるであろうそのような設計の構想に着手した。鉄鋼のインサートを手動で曲げることを含む、基本設計を思い付くための何年もの試行錯誤が、３次元プリンタの試作品を用いた５ｍｍサイズの蟻継部及びインサートのさらなる試験へと結び付いた。最終的に、これは、実物大の板及び棚の実際の製作物を用いて最終的に概念を試すことができるように、出願人に実物大の蟻継部及びインサートを提供するためにアルミニウム会社によって作製される最初の金型へと進展した。この概念は、背板及び棚における適切な切断を可能にするための非常に特殊な工具を必要とし、これらの工具が設計され、特殊な製作プロセスの一部を形成する。
【００６０】
概要。Ｌｏｃｋ  ａｎｄ  Ｌｏａｄ  Ａｄｊｕｓｔａｂｌｅ  Ｆｌｏａｔｉｎｇ  Ｓｈｅｌｖｉｎｇ  Ｓｙｓｔｅｍｓ（Ｌｏｃｋ  ａｎｄ  Ｌｏａｄ社の調節可能な浮き棚システム）は、ブラケットが見えない、革新的な、完全に調節可能な棚陳列システムであり、最終製品に宙に浮いている棚システムの印象を与える。これは、既存の壁に装着されるように設計される。このシステムは、木材、（厚さ１８ｍｍ〜３２ｍｍ）、ベニヤ板、メラミンカラーボード（ラミネックス）、ガラス、及びステンレススチール薄板を含む、様々な構築材料を利用する。特徴である裏板も、顧客の要求に応じて、複数の色及び材料で製造することができる。「調節可能な浮き棚システム」は、棚の製造生産性を大幅に高め、製作時間、コスト、廃棄物、及び設置時間を削減するだけでなく、棚の特有の柔軟性及び特徴を顧客に提供する。このシステムは、背板に予め切断された溝の中に嵌合される蟻継押出成形品を組み込む。次いで、インサート押出成形部品が棚の端部に嵌合され、次いで、この棚が、背板内にある蟻継部内に簡単に配置される。蟻継部の特定の形状によって、インサートを所定の位置に係止することが可能となる。さらなるブラケットは不要である。システムは、棚に限定されるものではなく、フック、箱、バスケット、及び他の部品を、蟻継部への接続によって裏板に取り付けることができる。
【００６１】
調節可能な浮き棚システムは、既存の棚システムとは著しく異なる。主な違いは以下の通りである。
【００６２】
ブラケットが見えず、突き合せ接合部がない。「ブラケット」（係止部品）が、棚の中に内臓される。同様に、裏板インサート（蟻継）は、別個に裏板の中に内臓される。そのため、いったん裏板が所定の位置に固定されると、棚を蟻継押出成形品内の所定の位置に押し込むだけで所定の位置に「係止」することができる。余分な備品または工具が必要ではない。
【００６３】
「浮き棚」の特徴を提供するために３．６ｍｍの溝を利用する。裏板の長さ及び高さの容量がより大きい（長さ１．２メートル及び高さ２．４メートルを提供するこれまで市販されている最も近い競合品と比較すると、長さ３．６メートル×高さ１．８メートル）。
【００６４】
労働安全・衛生法（ＯＨ＆Ｓ）に準拠（製作される棚の安全性が著しく高く、棚の係止及び荷重位置が容易な脱落を防止する）。偶発的に緩んで落ちる可能性はなく、これを裏板から開放するためには、持ち上げと引っ張りを組み合わせたプロセスを必要とする。
【００６５】
積載容量は、現在の競合品と等しいかまたはそれよりも大きい。棚の長さ及び深さに応じて、棚は最大２０〜３０ｋｇに耐えられる。現在市販されているほとんどの調節可能な棚システムとは異なり、ブラケットが見えないため、審美的に見た目が美しい。顧客の要求に適合するように完全にカスタマイズ可能。
【００６６】
家庭用にはフラットパック（ＤＩＹ）の選択肢（平均的な人によって容易に装着され、家具製作の技能は必要ではない）。バンブーシート等の環境的に優しく持続可能な新しい製品を使用するように適応可能。最小限の廃棄物（おがくず及び切れ端）。
【００６７】
特徴である裏板は、顧客の要求に適合するように、形状及びサイズにおいて完全に適応可能である。プロング、バスケット等のさらなる懸吊用品を許容する。
【００６８】
係止部品及び裏板インサートを製作するためには、特殊な工具が必要である。
【００６９】
図は、蟻継保持手段の側面図及び寸法を示す（背板に予め切断された三角形の切り欠き内に挿入された蟻継保持手段）。
この三角形は、顧客のニーズの状況に応じて、２０〜６０度の範囲の角度を有する。
【００７０】
蟻継保持手段の押出成形品は、重量の削減、ひいては製作コストの削減を可能にするように外側境界線の周りで再成形されるが、その意図は、背板に予め切断された三角溝を充填することである。
【００７１】
蟻継部の開口部は、３．６〜４ｍｍ±２．０ｍｍである。開口部の後方内角は、７４．８度である。角度は、０〜４５度の範囲である。現在の標準モデルは、２４度である。この部分の長さは、１２．７ｍｍである。全体的な深さは、１２．５０ｍｍ±５．０ｍｍである。角度は、２５度±１０度である。全体的な長さは、２１．５ｍｍ±５．０ｍｍである。
【００７２】
図は、３次元の蟻継保持手段及び背板の側面図を示す：ＭＤＦ背板の標準寸法は、厚さ１８ｍｍであり、最大３２ｍｍの厚さであってもよい。高さ及び幅は、顧客の要求に応じて異なる：最大１８００ｍｍの高さ、３６００ｍｍの長さ。図５．２に示されるような工具部品で切断された、予め切断された三角溝を示す背板の端部。溝は、高さ１．２ｍの板上で最低でも７０ｍｍ離間されるため、我々は、背板の全長にわたって最高で７つの溝を背板に切断することを想定している。予め切断された各溝に蟻継保持手段の押出成形品を充填し、背板１枚当たりの任意の数の棚または棚の長さの組み合わせを可能にする。
【００７３】
図は、溝の中に挿入された蟻継保持手段の押出成形品を示す。蟻継保持手段の押出成形品の３次元図、背板の長さに応じた長さ。背板の三角形の開口切断部は、６ｍｍ±３ｍｍである。
【００７４】
棚の中に嵌合されるインサート係止部品。深さゲージ／ガイド（止め部材）は、部品が棚及び蟻継部の中に正確に嵌合することを確実にするように設定され、また、  製品のばらつきを最小限に抑えるために製作物の一貫性も提供する。このガイドはまた、インサートに過度の影響を及ぼすことなく複数回研ぐことができるため、工具部品のより長い工具寿命を可能にする。
【００７５】
インサートの長さは、裏板に接続される特定の製品に適合するように可変である。現在のところ、１２００ｍｍの標準的な棚の場合、インサートの長さは３００ｍｍ±１００ｍｍであり、このサイズの棚には約３００ｍｍの長さが２つ挿入されると予想される。したがって、棚の使用法に応じて、インサートは棚の長さの４０％〜６０％を占める。８００ｍｍの棚は、２００ｍｍのインサートを２つ有する等である。インサートの高さは、３．５ｍｍ＋５ｍｍまたは−１．５ｍｍである。
【００７６】
残りの形状（テール部）は、裏板に接続される適切な部品、すなわち、懸吊用ロッドまたはバスケットに適合するように変化する。現在の幅は３０ｍｍであるが、それが棚に挿入されるか、または棚自体になるかどうかに応じて、１５ｍｍ〜３００ｍｍの範囲であってもよい。全体的な幅は、現在４１．５４ｍｍであるが、上に設定したようなテール部の幅に依存する。
【００７７】
テール部からヘッド部までの角度は、１６２度±１８度である。係止部品のヘッド部は、蟻継保持手段の中に「係止」するように一貫した形状を保ち、ヘッド部の幅は、現在１０．２０ｍｍであるが、本明細書に特定されるように変化する蟻継部のサイズ及び角度に応じて変化してもよい。
【００７８】
インサート及び棚。いくつかの図は、インサートの実寸を示す（側面図）。標準的な棚の３次元図、高さ１６ｍｍ〜６０ｍｍ、深さ５０ｍｍ〜３００ｍｍ。長さ最大２４００ｍｍインサートのテール部が、ここでは棚の中に固定され、ヘッド部が棚から突出しているため、蟻継保持手段の中に嵌合することができる。工具によって切断された、棚に予め切断された溝。
【００７９】
インサートから蟻継部までの角度は、９２度±２度である。
【００８０】
図は、３つの蟻継部が挿入された背板の側面図を示す。（影付き部）３つの棚が背板に接続されることを可能にする。インサートのテール部が中に固定された棚の側面図、ヘッド部が突出し、蟻継部の中に押されて、蟻継部とインサートの組み合わせの特有の設計によって所定の位置に係止される準備ができている。蟻継部の中に部分的に押し込まれた、インサートを有する棚の側面図。蟻継部の中に完全に押仕込まれ、背板に対して直角に当接する棚の側面図。
【００８１】
ネジによって永久的に固定するか、または大きくて目障りなブラケットを用いる必要なく、棚及び他の懸吊構成要素を裏板に接続する本発明の方法は、相互係止部品が背板及び棚の中に隠されるため、棚が宙に浮いている印象を与える。棚は、背板の予め切断された三角溝内に予め設置された蟻継部品に簡単に嵌合及び係止する、予め嵌合された突出するアルミニウム押出成形部品を有する。
【００８２】
裏板は、（顧客の要求に適合するように）蟻継押出成形品で充填された、板の長さに沿った予め切断された溝を複数有し、それによって裏板の種々の位置における様々な異なる配置を可能にする。
【００８３】
棚は、工具なしで取り外すことができ、背板に予め切断された任意の他の溝の中に配置することができる。蟻継部及びインサートの特定の形状は、著しい重量に耐え、偶発的に脱落する可能性のない相互係止システムを可能にする。蟻継部及びインサートの設計は、それらを棚だけに限定せず、ハンギングバスケット、箱、プロング、及びＰｅｒｓｐｅｘディスプレイホルダー等の数多くの他の懸吊用物品を許容する。
【００８４】
本発明のいくつかの実施形態の特徴は以下の通りである。
【００８５】
１．棚が背板に接続された後にブラケットが見えない。棚は、嵌合された押出成形品のテール部を保持するスロット切り込みを有し、突出するヘッド部は、裏板内に固定された蟻継部に接続する。
【００８６】
２．裏板は、蟻継押出成形品で充填された、板の長さに沿った予め切断された溝を有する。
【００８７】
３．いったん棚が背板に接続されると、それは予め切断された溝を隠す。
【００８８】
４．ブラケットが見えない調節可能な浮き棚システムをもたらす。
【００８９】
５．裏板に予め切断された溝の開口部は、３．５〜８ｍｍである。
【００９０】
６．特徴である裏板は、顧客の要求に適合するように、形状、サイズ、及び予め切断された溝の数において完全に適用可能である。
【００９１】
７．棚の長さは、最大２．４Ｍ長であってもよい。
【００９２】
８．棚の積載容量は、棚１．２メートル当たり最大２０ＫＧである。
【００９３】
９．棚は、ブラケットを外すことなく容易に取り外され、裏板から棚を開放するためには、持ち上げて傾ける方法を用いる。
【００９４】
１０．棚は、いずれの工具も必要とすることなく、一方の溝から取り外して、裏シートの任意の予め切断された溝に付け替えることができる。
【００９５】
１１．裏板は、顧客の要求に応じて任意の数の予め切断された溝にカスタマイズすることができ、溝間の最小間隙は７０ｍｍである。
【００９６】
１２．棚に限定されないシステムは、箱、バスケット、及びプロング等の種々の形状及びサイズの小売用備品を背板から懸吊することができる。
【００９７】
１３．商業用途のための職業安全衛生の改善。棚または他の懸吊用物品の偶発的な脱落の減少。在庫の損傷による損失の削減、偶発的な脱落による従業員の負傷または顧客の負傷の減少。
【００９８】
１４．エンドユーザがいずれのブラケットも嵌合する必要がなく、唯一の必要条件は裏板を壁に固定することであるため、設置時間の削減。
【図１Ａ】
0006785158.tif 000002
【図１Ｂ】
0006785158.tif 000003
【図２】
0006785158.tif 000004
【図３】
0006785158.tif 000005
【図４Ａ】
0006785158.tif 000006
【図４Ｂ】
0006785158.tif 000007
【図５Ａ】
0006785158.tif 000008
【図５Ｂ】
0006785158.tif 000009